(57)【特許請求の範囲】
【請求項１】
米穀を揚穀するバケットコンベヤ（３０）を内部に配設した揚穀筒体（３）の下部に供給ホッパー（４）を、そして上部に貯留タンク（５）をそれぞれ設け、該貯留タンク（５）の排出口（６）の下方に袋に収納される米穀を計量する計量器（８）を配設した米穀用の計量袋詰め機において、
前記揚穀筒体（３）の両側壁にそれぞれ清掃用の窓孔（１７、１８）が設けられ、該清掃用の窓孔（１７、１８）は上下方向に互いに設置位置をずらして位置付けられ、そして蓋板（１９、２０）により着脱自在に閉鎖されており、前記揚穀筒体（３）の円弧状の底板（４０）には揺動可能な閉鎖板（４２）により閉鎖される落下口（４１）が設けられ、さらに、前記バケットコンベヤ（３０）は複数のバケット（３２、３２…）を有するとともに清掃用のスクレーパー（３７）を着脱自在に取り付ける少なくとも１個のスクレーパー取付部（３５）を備えていることを特徴とする米穀用の計量袋詰め機。
【請求項２】
円弧状の底板（４０）に設けられた落下口（４１）は、前記底板（４０）の最下部よりもバケットの移送方向下流側に設けられ、清掃用のスクレーパー（３７）により掻き落とされた米糠や前記底板（４０）上に残留する残留米を排除することができるように構成されていることを特徴とする請求項１記載の米穀用の計量袋詰め機。
【請求項３】
貯留タンク（５）は、その両側壁面にやや大形の確認窓（２２ａ、２２ｂ）を着脱自在に有することを特徴とする請求項１または２記載の米穀用の計量袋詰め機。
【請求項４】
貯留タンク（５）は、その上壁面にガラリ窓（２４ａ、２４ｂ）を有することを特徴とする請求項１ないし３のいずれか１項記載の米穀用の計量袋詰め機。
【請求項５】
揚穀筒体（３）の前壁面に表示器（１０）を配置し、該表示器（１０）は上向きや下向きの角度を調整可能にかつ左右の角度を調整可能に設けられていることを特徴とする請求項１ないし４のいずれか１項記載の米穀用の計量袋詰め機。
【発明の詳細な説明】
【０００１】
【発明の属する技術分野】
本発明は、選別された米穀等の穀粒を揚穀して貯留タンクに貯留し、貯留タンクの排出口下方に設置した計量器上に袋を載置し、該袋に貯留タンクから排出される穀粒を収納して計量袋詰めする計量袋詰め機に関するものである。
【０００２】
【従来の技術】
従来の穀粒計量袋詰め機においては、図６に示すように、選別機１３０により選別された穀粒を受け入れる供給ホッパーが揚穀筒体１０２の下方部位に設けられ、揚穀筒体１０２内に配設された揚穀手段により上方へ移送される穀粒を一時的に貯留する貯留タンク１０４は揚穀筒体１０２の上方部位に設けられ、貯留タンク１０４の排出口１０５の下方に計量器１０８が設置されている。そして、穀粒袋１２０への穀粒の袋詰めは、穀粒袋１２０を袋立て１２１等を用いて計量器１０８上に載置して、排出口１０５に設けられたシャッター１０６を開くことにより行なわれ、貯留タンク１０４の排出口１０５から排出される穀粒は穀粒袋１２０内に収納され、袋内に収納される穀粒の重量を計量器１０８で計測して、所定量の穀粒を計量袋詰めするように構成されている。
【０００３】
【発明が解決しようとする課題】
近時、穀粒なかでも白米等においては、その販売形態や消費者ニーズの変化に基づいて、１〜３Ｋｇあるいは５Ｋｇや１０Ｋｇ等のように小容量での取り扱いが多くなり、各種銘柄毎の小容量の袋への計量袋詰めを必要としている。
【０００４】
ところで、米穀等の計量袋詰め機においては、米穀に伴なう米糠が、計量袋詰め機の揚穀筒体内の壁部や揚穀手段、また貯留タンクの内壁部に付着しやすく、さらに、米穀がその米糠に付着して残留米となるなどして、害虫の巣作り等の原因となって、衛生上好ましくなく、さらには、計量袋詰め機の作動不良や計量誤差の原因ともなっていた。
【０００５】
精米機により精米されそして選別機により選別された米穀の計量袋詰めは、計量袋詰め機の内部を定期的に清掃するなどして清潔な状態で衛生的に行なうことが望ましく、そして、米穀の各種銘柄に応じた計量袋詰めの切り替え時には残留米等がない状態として、新たな米穀を揚穀しかつ計量袋詰めすることが望ましいところである。しかしながら、従来の米穀用の計量袋詰め機においては、内部の清掃を容易に行なうことは困難であって、壁面等に付着した米糠等を効率よく排除することができなかった。
【０００６】
そこで、本発明は、上述の従来技術の有する未解決の課題に鑑みてなされたものであって、装置内部の清掃を容易に行なうことができ、精米された米穀等を衛生的にかつ精度良く計量袋詰めすることができる米穀用の計量袋詰め機を提供することを目的とするものである。
【０００７】
【課題を解決するための手段】
上記目的を達成するため、本発明の米穀用の計量袋詰め機は、米穀を揚穀するバケットコンベヤを内部に配設した揚穀筒体の下部に供給ホッパーを、そして上部に貯留タンクをそれぞれ設け、該貯留タンクの排出口の下方に袋に収納される米穀を計量する計量器を配設した米穀用の計量袋詰め機において、前記揚穀筒体の両側壁にそれぞれ清掃用の窓孔が設けられ、該清掃用の窓孔は上下方向に互いに設置位置をずらして位置付けられ、そして蓋板により着脱自在に閉鎖されており、前記揚穀筒体の円弧状の底板には揺動可能な閉鎖板により閉鎖される落下口が設けられ、さらに、前記バケットコンベヤは複数のバケットを有するとともに清掃用のスクレーパーを着脱自在に取り付ける少なくとも１個のスクレーパー取付部を備えていることを特徴とする。
【０００８】
そして、本発明の米穀用の計量袋詰め機においては、円弧状の底板に設けられた落下口は、前記底板の最下部よりもバケットの移送方向下流側に設けられ、清掃用のスクレーパーにより掻き落とされた米糠や前記底板上に残留する残留米を排除することができるように構成されていることが好ましく、また、貯留タンクは、その両側壁面にやや大形の確認窓を着脱自在に有し、さらに、貯留タンクの上壁面にガラリ窓を有していることが好ましい。
【０００９】
また、本発明の米穀用の計量袋詰め機においては、揚穀筒体の前壁面に表示器を配置し、該表示器は上向きや下向きの角度を調整可能にかつ左右の角度を調整可能に設けられていることが好ましい。
【００１０】
【作用】
揚穀筒体の両側壁に設けられた清掃用の窓孔が互いに上下方向にずらして位置付けられているために、窓孔から揚穀筒体の内部を容易に清掃することができることは勿論のこと揚穀筒体の内部を全体的に清掃することが可能であり、さらに貯留タンクにおいても、確認窓をやや大形に形成しかつ着脱自在とすることにより、貯留タンクの内部の清掃を容易にできるようにすることも可能である。
【００１１】
また、揚穀筒体の底板上に残留する残留米は、底板の閉鎖板を回動させて落下口を適宜開口することにより、落下口から落として揚穀筒体から排除することができ、また、計量袋詰めする米穀の銘柄等を変更するときなどにおいても、変更時に揚穀筒体の内部の残留米を完全に排除した後に、新たな銘柄の米穀を供給して計量袋詰めを行なうことができることから、銘柄等の異なる米穀が互いに混じるようなことがない。
【００１２】
バケットコンベヤのスクレーパー取付部に清掃用のスクレーパーを着脱自在に取り付けてバケットコンベヤを作動させることにより、揚穀筒体の内壁面に付着している米糠や残留米等を掻き取り、それらの米糠等を底板の落下口を介して揚穀筒体から排除することができる。
【００１３】
また、表示器は、上向きや下向きの傾斜角度（仰角および俯角）の調整および左右の向きの角度調整ができるように構成されており、作業者が視認しやすい位置にセットすることができる。
【００１４】
このように、本発明によれば、米穀用の計量袋詰め機の内部の清掃を容易にかつ簡単に行なうことが可能となり、壁面に付着する米糠等や残留米を速やかに効率よく排除することができて、米穀の小容量の計量袋詰めを衛生的にかつ精度良く行なうことができる。
【００１５】
【発明の実施の形態】
本発明の実施の形態を図面に基づいて説明する。
【００１６】
図１は本発明の米穀用の計量袋詰め機の前方からみた斜視図であり、図２は本発明の米穀用の計量袋詰め機の後方からみた斜視図であり、図３は本発明の米穀用の計量袋詰め機の揚穀筒体および揚穀筒体内に配設したバケットコンベヤを概略的に示す斜視図である。
【００１７】
図１および図２において、米穀用の計量袋詰め機１は、機台２に立設された揚穀筒体３の下方の後壁面に、図示しない精米機により精米されそして選別機により選別された米穀の供給を受ける供給ホッパー４が設けられ、揚穀筒体３の上部の前壁面には、揚穀筒体３内に配設された揚穀手段としてのバケットコンベヤ３０（図３の（ｂ）参照）により揚穀された米穀を一時的に貯留する貯留タンク５が取り付けられており、この貯留タンク５の排出口６にはソレノイド等のシャッター作動部材７ａにより開閉駆動されるシャッター７が設けられ、また、排出口６の下方には袋に収納される米穀の重量を計測する計量器８が設置されている。計量器８は、その上に載置された袋内に収納される穀粒の重量を計測し、その計測値が所定の値に達すると、信号をシャッター作動部材７ａへ送り、シャッター７を作動させて排出口６を閉鎖するように構成されている。
【００１８】
計量器８の上に着脱自在に嵌合装着される袋載置台１１は、１〜３Ｋｇあるいは５Ｋｇや１０Ｋｇ等の小容量の袋へ米穀を計量袋詰めする際に袋を載置するために用いるものであり、基台１２と袋載せ板１３と２本の支柱１４、１４とから構成されている。基台１２は、計量器８に着脱自在に装着しうるように、計量器８の表面形状に相応する形状に形成され、そして基台１２の周辺に下方へ折曲され、角部の部位が切除された複数の折曲片１２ａ、１２ａ……が設けられている。小容量の袋を載置する袋載せ台１３は、基台１２にそれぞれ固定的に立設された２本の支柱１４、１４に高さ調整可能に係合しうるように構成されている。小容量の袋へ米穀を計量袋詰めする際には、袋載置台１１の基台１２を計量器８上に嵌合装着して袋載置台１１を計量器８上に堅固に取り付け、袋載せ板１３の高さを袋の大きさに応じて調整する。そして、袋載せ板１３の上に袋を載せて、米穀の計量袋詰めを行なう。これにより、袋の袋口を常に貯留タンク５の排出口６に対して最適な位置とした状態で穀粒の計量袋詰めを行なうことができるために、貯留タンク５の排出口６から排出される米穀を袋外へ飛散させることなく正確な計量袋詰めを行なうことが可能となり、さらに、１Ｋｇ〜１０Ｋｇ等のような小容量の米穀を適切な計量精度をもって計量袋詰めを行なうことができる。
【００１９】
揚穀筒体３には、図３の（ａ）に図示するように、その下方の後壁面には供給ホッパー４に連通する供給孔１５が設けられ、上方の前壁面には貯留タンク５に連通して揚穀された米穀を貯留タンク５側へ放出する放出孔１６が設けられている。さらに、揚穀筒体２の両側壁面には、揚穀筒体２の内部を清掃しうる大きさの窓孔１７、１８がそれぞれ設置位置を上下方向にずらして段差を付けた状態で適当な位置に設けられており、窓孔１７、１８にはそれぞれ蓋板１９、２０が着脱自在にネジ止めされている。また、揚穀筒体３の底部には後に詳述する円弧状の底板４０が設けられており、供給ホッパー４から供給孔１５を経て導入される米穀が底板４０上に一時的に堆積される。
【００２０】
揚穀筒体３内には、図３の（ｂ）に図示するバケットコンベヤ３０が配設されており、バケットコンベヤ３０は、揚穀筒体３の両側壁の下方および上方の部位にそれぞれ回転可能に軸支された駆動プーリ３３および従動プーリ３４と、両プーリ３３、３４間に掛け渡された無端状ベルト３１と、この無端状ベルト３１に所定の間隔をもって取り付けられた複数のバケット３２、３２……とから構成される。駆動プーリ３３は駆動モーター３３ａ（図１）に連結され、従動プーリ３４は無端状ベルト３１の張力を調整しうるように揚穀筒体２の上方の部位において上下方向に移動可能に軸支されている。
【００２１】
また、バケットコンベヤ３０の無端状ベルト３１のいずれかの部位に、清掃用のスクレーパー３７を取り付けるための少なくとも１個のスクレーパー取付部３５を設ける。スクレーパー取付部３５は、図４に詳細に図示するように、Ｌ字状の取付部材３６が無端状ベルト３１にねじ等により一体的に取り付けられており、この取付部材３６のベルト３１面に対して直角に延びる一片に清掃用のスクレーパー３７をねじ止め等によって着脱自在に取り付けることができるように形成されている。清掃用のスクレーパー３７は、シリコンゴム等で形成され、その基部をＬ字状の取付部材３６の一片と当て板３８との間に挿入してネジ止めすることにより着脱自在に取り付けられる。そして、清掃用のスクレーパー３７は、取付部材３６に取り付けられたときに、その外周部が揚穀筒体３の内側の壁面に当接する大きさに形成されている。したがって、揚穀筒体３の内壁面に付着する米糠等を除去し清掃する際に、清掃用のスクレーパー３７をＬ字状の取付部材３６にねじ止めにより取り付け、そして、駆動モータ３３ａを作動させてバケットコンベヤ３０を作動させることにより、清掃用のスクレーパー３７は揚穀筒体３の内側壁面に当接して移動し、その壁面に付着している米糠等を掻き取ることができる。
【００２２】
揚穀筒体３の底部に設けられた円弧状の底板４０は、図４に詳細に図示するように、バケットコンベヤ３０のバケット３２が駆動プーリ３３の周りを移動するときのバケット３２の外方先端部の移動軌跡にほぼ沿った形状に形成されており、バケットコンベヤ３０の作動により複数のバケット３２、３２……が矢印方向に移動する時に、各バケット３２が、供給ホッパー４から供給されて底板４０上に堆積している米穀を掬い取ることができるように構成されている。また、円弧状の底板４０には、その最下部からバケット３２の移動方向の下流側にやや離間した位置に落下口４１が穿設されている。そして、落下口４１を閉鎖する閉鎖板４２は、底板４０の下側に揺動自在に設けられ、常時は、ばね４４により落下口４１を閉鎖する位置へばね付勢されており、閉鎖板４２に連結されたレバー４３をばね４４に抗して図４において反時計方向に回動させることにより、落下口４１を開口させて残留米や米糠等を排除することができるように構成されている。清掃用のスクレーパー３７の作動とともに落下口４１を開口させることにより、一層確実に残留米や米糠等を排除することができる。
【００２３】
また、図１および図２において、９は貯留タンク５の排出口６の周囲に取り付けられ、排出口６から排出される米穀を袋へ案内して、米穀の飛散を防止する案内部材であり、１０は計量袋詰めする重量の設定値や計量器８の計量結果を表示する表示器である。２２ａ、２２ｂ、２２ｃは貯留タンク５の壁面に設けられた確認窓であり、貯留タンク５の内部の状態を点検確認することができるようにしたものである。これらの確認窓のうち側壁面に設けた確認窓２２ａ、２２ｂをやや大形に形成しかつ着脱自在とすることにより、貯留タンク５の内部の清掃を容易にできるようにすることも可能である。２４ａ、２４ｂは、貯留タンク５の上壁面の両傾斜面にそれぞれ設けられた複数の小孔と羽板からなるガラリ窓であって、貯留タンク５の内部を外部に連通させて空気を流通させるためのものであり、特に、バケットコンベヤ３０の作動により各バケット３２から米穀が貯留タンク５へ放出される際に生じる空気の流れを外部へ逃がすことができ、貯留タンク５内にすでに貯留されている米穀への影響を排除することができ、また、排出口６からの米穀の排出をスムーズに行ない得るようにする。さらに、揚穀筒体３の適宜の位置にその内部の状態を点検確認することができるように確認窓を設けることもできる。
【００２４】
計量袋詰めする重量の設定値や計量器の計量結果を表示する表示器１０は、米穀用の計量袋詰め機１の作業者が視認しやすい位置にセットすることができるように、その表示面の上向きや下向きの傾斜角度（仰角および俯角）の調整および表示面の左右の向きの調整ができるように構成されており、表示器１０の取付け機構は図５に図示する。
【００２５】
揚穀筒体３の前方壁面の貯留タンク５の下方位置に固定された平面視コ字状の取付けブラケット５０は、その一対の立上り片５０ａ、５０ｂ内に円筒体５１を保持し、この円筒体５１にはＬ字状に屈曲された保持杆５２の一方の端部分が回動自在に挿入され、Ｌ字状の保持杆５２に固定された扇形部材５３が、取付けブラケット５０の立上り片５０ａの外側でＬ字状の保持杆５２とともに回動しうるように配置される。また、扇形部材５３にはその回動軸心を中心とする円弧状のスリット５４が形成されており、この扇形部材５３のスリット５４を介して調節ボルト５５が取付けブラケット５０の立上り片５０ａに螺合されており、調節ボルト５５を締め付けることにより、扇形部材５３とＬ字状の保持杆５２は取付けブラケット５０に対して固定され、また、調節ボルト５５を緩めることにより、扇形部材５３とＬ字状の保持杆５２は回動可能となり、取付けブラケット５０に対して適宜の位置へ移動させることができる。そして、扇形部材５３は円弧状のスリット５４の範囲内で回動調整することが可能である。また、Ｌ字状の保持杆５２の他方の先端部には表示器１０に取付けられた筒体５６が回動自在に装着されており、筒体５６に螺合された取付けネジ５７を締め付けることにより筒体５６をＬ字状の保持杆５２に一体化することができる。
【００２６】
このように構成された表示器１０の取付け機構により、表示器１０は、扇形部材５３と調節ボルト５５によって、表示器１０の表示面を上向きあるいは下向きの傾斜角度（仰角および俯角）を、扇形部材５３の円弧状のスリット５４の範囲内で、適宜調整することができ、さらに、筒体５６と取付けネジ５７により、表示器１０の表示面の左右の向きを適宜調整することも可能であり、作業者は表示器１０の表示面を視認しやすい状態として作業を行なうことができる。また、図５の（ｂ）に示すように表示器１０を左右方向に回動させて、その表示面を揚穀筒体３の側面に平行する状態として格納することができる。
【００２７】
次に上述のように構成された米穀用の計量袋詰め機の作動について説明する。
【００２８】
図示しない精米機により精米されそして選別機により選別された米穀は供給ホッパー４から供給孔１５を経て揚穀筒体３内へ供給される。駆動モーター３３ａを作動させて駆動プーリ３３を図４の矢印方向に回動させることにより、バケットコンベヤ３０を作動させると、各バケット３２も同方向に順次移送され、各バケット３２は、供給ホッパー４から供給孔１５を介して供給される米穀を収納し、あるいは既に底板４０上に堆積されている米穀を掬い取って、上方に移送する。そして、各バケット３２が上方の従動プーリ３４の回りを回動する際に、各バケット３２内の米穀は、その遠心力により、放出孔１６を介して貯留タンク５側へ放出され、貯留タンク５内に順次貯留される。
【００２９】
そして、米穀を収納する袋を計量器８の上にあるいは計量器８上に装着された袋載置台１１の袋載せ板１３の上に載置した後に、貯留タンク５の排出口６を開口することにより、貯留タンク５内の米穀は、排出口６から排出されて、袋内に収納され袋詰めされる。袋に収納された米穀は、計量器８によって計量され、その重量が所定の値に達すると、計量器８は信号をシャッター作動部材７ａへ送り、シャッター７を作動させて排出口６を閉鎖し、米穀の計量袋詰めが完了する。
【００３０】
以上のように、計量袋詰め機において、米穀の計量袋詰めを順次行なうことができるが、ある期間経過すると、米穀に付随する米糠が、揚穀筒体３の内壁面や揚穀手段さらには貯留タンクの内壁面に付着して、衛生上好ましくない。そこで、本発明においては、揚穀筒体３の両側壁に設けられた窓孔１７、１８の蓋板１９、２０をねじを螺解することにより取り外して、窓孔１７、１８を介して揚穀筒体３の内部を清掃することができ、しかも、窓孔１７、１８はその設置位置を上下方向にずらして設けられているために、揚穀筒体３の内部を全体的に清掃することができる。貯留タンク５においても、確認窓２２ａ、２２ｂをやや大形に形成しかつ着脱自在とすることにより、貯留タンク５の内部の清掃を容易にできるようにすることも可能である。また、バケットコンベヤ３０のスクレーパー取付部３５にシリコンゴム製の清掃用のスクレーパー３７を取り付け、その後に、バケットコンベヤ３０を作動させることにより、清掃用スクレーパー３７の外側部が揚穀筒体３の内壁面に当接して摺動し、その壁面に付着している米糠や残留米等を掻き取り、掻き取られた米糠等は円弧状の底板４０上に落とされる。そして、底板４０の閉鎖板４２をレバー４３により回動させて落下口４１を開口することにより、米糠等を落下口４１から落とすことができ、揚穀筒体３から排除することができる。
【００３１】
また、揚穀筒体３の底板４０上に残留している残留米は、底板４０の閉鎖板４２をレバー４３により回動させて落下口４１を適宜開口することにより、落下口４１から落として揚穀筒体３から排除することができる。計量袋詰めする米穀の銘柄等を変更するときなどにおいても、変更時に揚穀筒体３の内部の残留米を完全に排除した後に、新たな銘柄の米穀を供給して計量袋詰めを行なうことができることから、銘柄等の異なる米穀が互いに混じるようなことがない。
【００３２】
【発明の効果】
以上説明したように、本発明の米穀用の計量袋詰め機によれば、揚穀筒体の両側壁に清掃用の窓孔の設置位置が互いに上下方向にずらして設けられているために、窓孔から揚穀筒体の内部を容易に清掃することができることは勿論のこと、揚穀筒体の内部を全体的に清掃することが可能であり、さらに、貯留タンクにおいても、確認窓をやや大形に形成しかつ着脱自在とすることにより、貯留タンクの内部の清掃を容易にできるようにすることも可能である。そして、揚穀筒体の底板上に残留している残留米は、底板の閉鎖板を回動させて落下口を開口することにより、適宜、落下口から落として揚穀筒体から排除することができ、また、計量袋詰めする米穀の銘柄等を変更するときなどにおいても、変更時に揚穀筒体の内部の残留米を完全に排除した後に、新たな銘柄の米穀を供給して計量袋詰めを行なうことができることから、銘柄等の異なる米穀が互いに混じることを防止することができる。
【００３３】
さらに、バケットコンベヤのスクレーパー取付部に清掃用のスクレーパーを着脱自在に取り付けてバケットコンベヤを作動させることにより、揚穀筒体の内壁面に付着している米糠や残留米等を掻き取り、それらの米糠等を円弧状の底板の落下口を介して揚穀筒体から排除することができる。
【００３４】
また、表示器を上向きや下向きの傾斜角度（仰角および俯角）の調整および左右の向きの角度調整ができるように構成されており、作業者が視認しやすい位置にセットすることができる。
【００３５】
以上のように、本発明によれば、米穀用の計量袋詰め機の内部の清掃を容易にかつ簡単に行なうことが可能となり、壁面に付着する米糠等や残留米を速やかに効率よく排除することができて、米穀の小容量の計量袋詰めも衛生的にかつ精度良く行なうことができる。
【図面の簡単な説明】
【図１】本発明の米穀用の計量袋詰め機の前方からみた斜視図である。
【図２】本発明の米穀用の計量袋詰め機の後方からみた斜視図である。
【図３】（ａ）は揚穀筒体の概略的な斜視図であり、（ｂ）は揚穀筒体内に配設したバケットコンベヤを概略的に示す斜視図である。
【図４】揚穀筒体およびバケットコンベヤの下方部分を拡大して概略的に示す斜視図である。
【図５】（ａ）は本発明の米用の計量袋詰め機における表示器の取付機構の斜視図であり、（ｂ）は表示器の格納位置への回動状態を示す斜視図である。
【図６】従来の穀粒計量袋詰め機を概略的に図示する斜視図である。
【符号の説明】
１    （米穀用）計量袋詰め機
３    揚穀筒体
４    供給ホッパー
５    貯留タンク
６    排出口
７    シャッター
８    計量器
１０    表示器
１１    袋載置台
１５    供給孔
１６    放出孔
１７、１８    窓孔
１９、２０    蓋板
２２ａ、２２ｂ    確認窓
２４ａ、２４ｂ    ガラリ窓
３０    バケットコンベヤ
３１    （無端状）ベルト
３２、３２…    バケット
３５    スクレーパー取付部
３６    取付部材
３７    （清掃用）スクレーパー
４０    底板
４１    落下口
４２    閉鎖板
【図１】
0003768341.tif 000002
【図２】
0003768341.tif 000003
【図３】
0003768341.tif 000004
【図４】
0003768341.tif 000005
【図５】
0003768341.tif 000006
【図６】
0003768341.tif 000007